(57)【要約】【課題】  位置規制をする仕切り板や別パーツを用いなくても、複数のブリスター容器を位置規制しつつ一体として陳列したり、取り扱うことを可能にするブリスター容器を提供する。【解決手段】  台紙４と、歯ブラシ２を収容する形状に成形されて台紙４と一体化されるブリスター３とからなり、ブリスター３は、台紙４から製品収容部３Ａよりも高く突出する位置決め突部６を有しており、台紙４には、位置決め突部６の基端部分６Ａと重なる位置に形成された円形穴７が設けられている。位置決め突部６の断面形状は、円形穴７と重なる基端部分６Ａで円形穴７の形状よりも大きく、先端部分６Ｂで円形穴７の形状よりも小さくなっている。また円形穴７から延設するミシン目８が台紙４に設けられている。【選択図】      図１
2005186964.tif 000002
【特許請求の範囲】
【請求項１】
台紙と、製品を収容する形状に成形されて台紙と一体化されるブリスターとからなり、前記ブリスターは、前記台紙から製品収容部よりも高く突出する位置決め突部を有しており、前記台紙には、前記位置決め突部の基端部分と重なる位置に形成された突部挿入部が設けられているブリスター容器。
【請求項２】
前記突部挿入部が、穴、スリット部、又は凹部である請求項１記載のブリスター容器。
【請求項３】
前記位置決め突部の断面形状は、前記突部挿入部と重なる基端部分で前記突部挿入部の形状よりも大きく、先端部分で前記突部挿入部の形状よりも小さい請求項１又は２記載のブリスター容器。
【請求項４】
前記突部挿入部から延設するミシン目が前記台紙に設けられている請求項１〜３の何れかに記載のブリスター容器。
【請求項５】
請求項１〜４の何れかに記載のブリスター容器に歯ブラシが収容された歯ブラシ製品。
【請求項６】
台紙と、製品を収容する形状に成形されて台紙と一体化されるブリスターとからなるブリスター容器を複数陳列する際の陳列構造であって、後方のブリスター容器の位置決め突部の先端部分を前方のブリスター容器の突部挿入部に背面側から挿入係止して、複数のブリスター容器の相対位置がずれないように規制するブリスター容器の陳列構造。
【発明の詳細な説明】
【技術分野】
【０００１】
本発明は、ブリスター容器、歯ブラシ製品及びブリスター容器の陳列構造に関し、特に容器単体での位置安定性を欠くブリスター容器、歯ブラシ製品及び複数のブリスター容器の陳列構造に関する。
【背景技術】
【０００２】
例えば歯ブラシ、リップスティック等の小物の製品を収容する従来のブリスター容器は、透明なプラスチックシート等を用いてブリスター成形されて、製品に沿った立体形状の製品収容部を有するブリスターと、平坦な板状の台紙とからなり、例えばブリスターの周縁部を台紙の表面に接着させて製品を封入収容する仕様となっている（例えば、特許文献１参照）。
【０００３】
また、ハブラシ等を収容したブリスター容器は、単体では位置安定性に欠けるため、例えば複数のブリスター容器を中箱に装填したままの状態で店頭に陳列される場合がある。中箱に収容される数量が多いものは、中箱内に中仕切り板を設けたり、位置規制するための土台を別パーツとして設けることにより、中箱に収容されたブリスター容器の数量が減少した際のブリスター容器の不規則な方向への転倒等を防止している（例えば、特許文献２参照）。
【０００４】
さらに、台紙にミシン目を入れることにより、ブリスターと台紙がしっかり接着されていても、収容された歯ブラシ等の製品を容易に取り出すことができるようになっている（例えば、特許文献３参照）。
【特許文献１】特開平１０−９５４５７号公報
【特許文献２】特開昭６３−２９９０５０号公報
【特許文献３】実開平５−１９１５９号公報
【発明の開示】
【発明が解決しようとする課題】
【０００５】
しかし、中箱内に中仕切り板を設けたり、別パーツの土台を設けることは、中箱の材料費用が嵩んでコストアップになる。またブリスター容器を土台に差し込む工程等が増えるため、作業性が悪くなると共に、生産能力が低下する。
【０００６】
さらに、ブリスター容器から歯ブラシ等の製品を取出すために台紙に設けられる開封口は、一般に歯ブラシ等の製品が収容される製品収容部の裏側に設けられているため、製品が邪魔になって開封口を指で摘み難くなることから、台紙を例えばミシン目に沿って破断させて製品を取り出すのに手間がかかることになる。
【０００７】
本発明は、位置規制をするための仕切り板や別パーツを用いなくても、複数のブリスター容器を位置規制しつつ一体として陳列したり、取り扱うことを可能にするブリスター容器、歯ブラシ製品及びブリスター容器の陳列構造を提供することを目的とする。
【０００８】
また、本発明は、開封性を向上させて製品を取り出し易くしたブリスター容器及び歯ブラシ製品を提供することを目的とする。
【課題を解決するための手段】
【０００９】
本発明のブリスター容器は、前述の課題解決のために、台紙と、製品を収容する形状に成形されて台紙と一体化されるブリスターとからなり、前記ブリスターは、前記台紙から製品収容部よりも高く突出する位置決め突部を有しており、前記台紙には、前記位置決め突部の基端部分と重なる位置に形成された突部挿入部が設けられていることを特徴としている。
【００１０】
これにより、ブリスター容器を前後方向に複数並べる場合、前方のブリスター容器の台紙の突部挿入部に、後方に並べるブリスター容器の位置決め突部の先端部分を背面側から嵌め込むように挿入することによって、左右にずれないように規制しつつ複数のブリスター容器を前後方向に規則的に並べることが可能になり、またブリスター容器が多数個になっても、同様にして規則的に並べることが可能になる。
【００１１】
また、本発明のブリスター容器は、前記位置決め突部の断面形状が、前記突部挿入部と重なる基端部分で前記突部挿入部の形状よりも大きく、先端部分で前記突部挿入部の形状よりも小さいことが好ましい。
【００１２】
これにより、前方のブリスター容器の突部挿入部に、その背後に並べようとするブリスター容器の位置決め突部をスムーズに嵌め込むことが可能になると共に、突部挿入部を開封口として台紙をブリスターから引き剥がす際に、突部挿入部の周縁部分の台紙を摘みやすくなる。なお、突部挿入部の形状と、位置決め突部の基端部分の断面形状と、位置決め突部の先端部分の断面形状とは、相似形状又は略相似形状となっていることが望ましいが、特定の形状に限定されるものではない。例えば、円形、楕円形、四角形、多角形等であっても良い。また、位置決め突部の基端部分の断面形状が突部挿入部の形状よりも大きいとは、これらを重ね合わせた場合に、突部挿入部の内側に位置決め突部の基端部分がはみ出さないことを意味し、位置決め突部の先端部分の断面形状が突部挿入部の形状よりも小さいとは、これらを重ね合わせた場合に、突部挿入部の外側に位置決め突部の先端部分がはみ出さないことを意味する。
【００１３】
さらに、本発明のブリスター容器は、前記突部挿入部から延設するミシン目が前記台紙に設けられていることが好ましい。
【００１４】
これにより、ブリスターから台紙を剥離する操作を台紙の突部挿入部を介して行なうことが可能になって、ブリスター容器の別部位に開封口を設ける必要がなくなると共に、開封操作も容易になる。なお、突部挿入部は、指先や爪を当該突部挿入部の周縁部に引っ掛けるのに十分な大きさを有していればよい。また、突部挿入部は、位置決め突部の先端部分を差込むことができる形態を備えていればよく、例えば穴の他、スリット部や凹部等であっても良い。
【００１５】
また、本発明の歯ブラシ製品は、上述の構成を有するブリスター容器に歯ブラシが収容されていることを特徴としている。
【００１６】
さらに、本発明のブリスター容器の陳列構造は、台紙と、製品を収容する形状に成形されて台紙と一体化されるブリスターとからなるブリスター容器を複数陳列する際の陳列構造であって、後方のブリスター容器の位置決め突部の先端部分を前方のブリスター容器の突部挿入部に背面側から挿入係止して、複数のブリスター容器の相対位置がずれないようにすることを特徴としている。
【発明の効果】
【００１７】
本発明のブリスター容器、歯ブラシ製品、或いはブリスター容器の陳列構造によれば、位置規制をするための仕切り板や別パーツを用いなくても、複数のブリスター容器を位置規制しつつ一体として陳列したり、取り扱うことが可能になる。また、本発明のブリスター容器、或いは歯ブラシ製品によれば、突部挿入部から延設するミシン目をブリスター容器の台紙に設けておけば、開封性を向上させて製品を取り出し易くすることができる。
【発明を実施するための最良の形態】
【００１８】
以下、添付図面を参照して、本発明の一実施形態に係るブリスター容器について説明する。本実施形態のブリスター容器１は、図１（ａ）〜（ｃ）に示すように、製品として例えば歯ブラシ２を収容するものであり、紙製、樹脂製等の平坦な板状の台紙４と、透明なプラスチックシートから真空成形や圧空成形等を介して成形され、歯ブラシ２の立体形状に沿った立体凸形状の製品収容部３Ａを有するブリスター３とによって構成されている。ブリスター３は、歯ブラシ２を製品収容部３Ａに収容した状態で、ヒートシール等の接着手段を介して縦長帯状の台紙４と接着されることにより、ブリスター容器１となって歯ブラシ製品を形成する。また、ブリスター容器１は、単体では位置安定性に欠けると共に、歯ブラシヘッド側の端部には、店頭販売でフック等に吊り下げられることができるように吊り下げフック部５が一般的に形成されている。
【００１９】
そして、本実施形態のブリスター容器１は、複数まとめて陳列したり取り扱う際の位置安定性を向上させる位置規制機能を備えるブリスター容器であって、ブリスター３は、台紙４から製品収容部３Ａよりも高く突出する位置決め突部６を有しており、台紙４には、位置決め突部６の基端部分６Ａと重なる位置に形成された突部挿入部７が設けられている。
【００２０】
また、本実施形態によれば、位置決め突部６の断面形状は、図２にも示すように、突部挿入部７と重なる基端部分６Ａで突部挿入部７の形状よりも大きく、先端部分６Ｂで突部挿入部７の形状よりも小さくなっており、また台紙４には、突部挿入部７から延設するミシン目８が設けられている。
【００２１】
本実施形態によれば、ブリスター３に設けられる位置決め突部６は、製品収容部３Ａの上方に間隔をおいた位置に形成され、台紙４と密着する側の基端部分６Ａを底部とする、底面が開口面となった接頭円錐形状を有していることにより、その側面が、先端に向かって先細りとなったテーパー面となっている。また位置決め突部６は、その高さ１０が製品収容部３Ａよりも高くなった先端部分６Ｂにおいて、前方のブリスター容器１の突部挿入部７に位置決め突部６が挿入係止されるようになっている。
【００２２】
さらに、位置決め突部６は、基端部分６Ａにおける円形の断面形状の直径（面積）１２が、これと相似形状の円形の突部挿入部７の直径（面積）１３よりも大きくなっていると共に、先端部分６Ｂにおける円形の断面形状の直径（面積）１１が、これと相似形状の円形の突部挿入部７の直径（面積）１３よりも小さくなっており、且つ位置決め突部６の中心軸を突部挿入部７の中心に略合致させた状態で設けられている。これによって、ブリスター容器１を正面側から視てこれらを重ね合わせた位置関係が、突部挿入部７の内側に位置決め突部６の基端部分６Ａがはみ出さず、且つ突部挿入部７の外側に位置決め突部６の先端部分６Ｂがはみ出さないような位置関係となる。なお、本実施形態では、位置決め突部６を先細りとなるテーパー形状に形成したが、台紙４と密着する基端部分６Ａの面積が先端部分６Ｂの面積よりも大きくなっていれば良く、例えば図３に示すような段差形状等に形成することもできる。
【００２３】
台紙４に設けられる突部挿入部７は、円形穴となっており、接頭円錐形状の位置決め突部６の中心軸にその中心を略合致させた状態で開口形成される。これによって、前方のブリスター容器１の背面側から突部挿入部７に、後方のブリスター容器１の位置決め突部６の先端部分６Ｂをスムーズに差込むことが可能になり、これによって左右への相対的な位置ずれを回避する位置規制機能が発揮されることになる。
【００２４】
本実施形態によれば、突部挿入部７は、位置規制機能の他に製品である歯ブラシを取り出すための開封口としての機能も備えるので、突部挿入部７は、指先や爪を当該突部挿入部７の周縁部に引っ掛けるのに十分な大きさを有している必要がある。また突部挿入部７の直径１３と位置決め突部６の基端部分６Ａの直径１２との差は、突部挿入部７の周縁部分の台紙４を指で摘める程度の巾を確保できるものとなっている。
【００２５】
さらに、本実施形態によれば、図４に示すように、突部挿入部７から台紙４の両側の側縁部に向かって斜めに延設するミシン目８を備えているので、ブリスター３と台紙４がしっかり接着されていても、ブリスター容器１の開封時における開封性を向上させて歯ブラシ２を容易に取り出すことができる。
【００２６】
なお、本実施形態によれば、突部挿入部７を円形穴としたが、突部挿入部７は、台紙４に位置決め突部６の先端部分６Ｂを差込むためのものなので、例えば図５に示すように、円形の領域内において中心から放射方向に向かって複数のスリットを切り込むことにより形成されるスリット部９を設け、位置決め突部６の先端部分６Ａを差込んだ時に、スリット部９を位置決め突部６の中空内部に入り込ませるような構造のものであっても良い。
【００２７】
本実施形態のブリスター容器１を例えば店頭において複数陳列する場合には、吊り下げフック部５をフック掛け棒に掛けて陳列販売する方法と、中箱１４に入れたまま陳列販売する方法（図６参照）とが考えられる。本実施形態の陳列構造によれば、例えば中箱１４に複数収容した状態でブリスター容器１を陳列する際には、図６に示すように、後方のブリスター容器１の位置決め突部６の先端部分６Ｂを前方のブリスター容器１の突部挿入部７に背面側から挿入係止して、複数のブリスター容器１の相対位置がずれないように規制しつつ陳列することが可能になり、中箱１４内のブリスター容器１が減少してきてもこれらの配列を乱すことなく、図７に示すような中箱１４内に中仕切り１５を設けた場合と同等の店頭陳列性を備えることができる。またこのようにして、中箱１４側にブリスター容器１の位置規制機能を設けるのではなく、ブリスター容器１自体に位置規制機能を設けることにより、商品全体の材料費用を低減し、生産性を向上させることが可能になる。
【００２８】
したがって、本実施形態によれば、ブリスター容器１自体が位置規制機能を備えているので、位置規制をするための仕切り板や別パーツを用いなくても、複数のブリスター容器１を位置規制しつつ一体として陳列したり、取り扱うことが可能になる。
【００２９】
なお、本発明は上記実施形態に限定されることなく種々の変更が可能である。例えば、収容される製品は歯ブラシに限定されることなく、ペン、リップスティック等のその他の種々の製品を収容するブリスター容器として用いることもできる。また、位置決め突部や突部挿入部は、製品収納部から離れた位置に設ける必要は必ずしもなく、位置規制のためだけであれば、製品収納部分に重ねて設けても良い。この場合、突部挿入部の大きさにも制約はないが、収容された製品と突部挿入部が重なり合うため、突部挿入部から指を差込むことが難しくなくなるので、開封性は従来ブリスター容器と変わらないことになる。さらに、複数のブリスター容器を立設させた状態で前後に並べて配置する場合の他、例えば横置きした状態で縦積みにブリスター容器を並べる際にも、位置規制機能を効果的に発揮することが可能になり、中箱を要することなく、縦積みしたブリスター容器が崩れ落ちるのを回避することが可能になる。
【図面の簡単な説明】
【００３０】
【図１】本発明の一実施形態に係るブリスター容器の（ａ）は背面図、（ｂ）は正面図、（ｃ）は側面図である。
【図２】位置決め突部の先端部分を突部挿入部に挿入した状態を示す部分断面図である。
【図３】位置決め突部の他の形態を例示する部分断面図である。
【図４】突部挿入部から延設するミシン目を説明する部分背面図である。
【図５】突部挿入部の他の形態を例示する部分背面図である。
【図６】本発明の一実施形態に係るブリスター容器を複数中箱に収容して陳列する状態を示す側面図である。
【図７】内部に仕切りを設けた中箱を例示する斜視図である。
【符号の説明】
【００３１】
１  ブリスター容器
２  歯ブラシ（製品）
３  ブリスター
３Ａ  ブリスターの製品収容部
４  台紙
５  吊り下げフック部
６  位置決め突部
６Ａ  位置決め突部の基端部分
６Ｂ  位置決め突部の先端部分
７  突部挿入部（円形穴）
８  ミシン目
９  スリット部（突部挿入部）
１０  位置決め突部の高さ
１１  位置決め突部の先端部分の直径
１２  位置決め突部の基端部分の直径
１３  円形穴（突部挿入部）の直径
１４  中箱
１５  中仕切り
【図１】
2005186964.tif 000003
【図２】
2005186964.tif 000004
【図３】
2005186964.tif 000005
【図４】
2005186964.tif 000006
【図５】
2005186964.tif 000007
【図６】
2005186964.tif 000008
【図７】
2005186964.tif 000009